(57)【要約】【課題】空調用熱交換器等に用いられる冷媒分流器であって、その分流器の入口パイプの軸線が傾斜しても重力の影響を受けず、各分流管に均一に冷媒を分流させることができるものの提供。【解決手段】入口パイプ接続孔２の先端に冷媒絞り部３を介してチャンバー室４を設け、チャンバー室４に複数の出口パイプ接続孔６を連通する。【選択図】        図１
2004177059.tif 000002
【特許請求の範囲】
【請求項１】
入口パイプ（１）  の先端を接続固定する一つの入口パイプ接続孔（２）  が一端に開口され、、
その入口パイプ接続孔（２）  の先端に、その入口パイプ接続孔（２）  の断面より小なる断面の冷媒絞り部（３）  を介して、その入口パイプ接続孔（２）  の断面より大なる断面のチャンバー室（４）  が設けられ、
そのチャンバー室（４）  に、後端が連通すると共に、先端が他端部の端面に夫々開口して、夫々出口パイプ（５）  が接続される複数の出口パイプ接続孔（６）  と、を具備する冷媒分流器。
【請求項２】
入口パイプ（１）  を接続固定する一つの入口パイプ接続孔（２）  が一端に開口され、その入口パイプ接続孔（２）  の先端に、その入口パイプ接続孔（２）  の断面より小なる断面の冷媒絞り部（３）  を介して、その入口パイプ接続孔（２）  の断面より大なる断面のチャンバー室（４）  が設けられ、そのチャンバー室（４）  の先端側にそのチャンバー室（４）  の断面以上の断面を有する装着孔（７）  が他端に開口された本体（８）  と、
外周が前記装着孔（７）  に整合すると共に、夫々出口パイプ（５）  を接続固定する複数の出口パイプ接続孔（５）  が貫通された装着体（９）  と、
を具備し、その装着体（９）  の外周が前記本体（８）  の装着孔（７）  に接続固定される冷媒分流器。
【発明の詳細な説明】
【０００１】
【発明の属する技術分野】
本発明は、冷暖房用の空調器や冷凍器における冷媒の分流器に関する。
【０００２】
【従来の技術】
従来、空調用熱交換器に複数の冷媒流路を並列させ、夫々の冷媒流路に並列的に冷媒を供給するため、その冷媒入口および出口に夫々分流器および合流器を取付けたものが知られている。
このような冷媒分流器として、従来、図４および図５に示すものが知られていた（例えば、特許文献１参照  ）。
【０００３】
【特許文献１】
特開２００１−３３６８６１公報
【０００４】
図４の分流器１１は、真鍮等の金属製の管材をプレス加工により段付状に形成し、その一端側に入口パイプ接続孔２を設けると共に、他端側に複数の出口パイプ接続孔６を形成したものである。そして入口パイプ接続孔２に入口パイプ１の先端をろう付け等により接続すると共に、夫々の出口パイプ接続孔６に出口パイプ５をろう付け等により接続していた。そして入口パイプ１から冷媒１３を分流器１１内に流入させ、夫々の出口パイプ５にそれを分流させていた。
【０００５】
次に、図５の分流器１２は真鍮等の棒材を切削加工して、その一端から他端側にＹ字状の冷媒流路を形成し、その一端に入口パイプ接続孔２を設け、Ｙ字状の各分岐部の夫々の端部に出口パイプ接続孔６を形成する。そして、入口パイプ接続孔２には入口パイプ１をろう付け固定すると共に、夫々の出口パイプ接続孔６には出口パイプ５をろう付け固定していた。
【０００６】
【発明が解決しようとする課題】
従来型の分流器は、入口側の軸線を傾斜したとき、内部を流通する冷媒が重力の影響を受けて、夫々の出口パイプ５に分配される冷媒流量が不均一になり、空調装置等の性能を悪化させる原因になっていた。
そこで本発明は、分流器を傾斜しても重力の影響を余り受けることなく、各出口パイプ５に均等に冷媒を供給できるものを提供することを課題とする。
【０００７】
【課題を解決するための手段】
請求項１に記載の本発明は、入口パイプ（１）  の先端を接続固定する一つの入口パイプ接続孔（２）  が一端に開口され、、
その入口パイプ接続孔（２）  の先端に、その入口パイプ接続孔（２）  の断面より小なる断面の冷媒絞り部（３）  を介して、その入口パイプ接続孔（２）  の断面より大なる断面のチャンバー室（４）  が設けられ、
そのチャンバー室（４）  に、後端が連通すると共に、先端が他端部の端面に夫々開口して、夫々出口パイプ（５）  が接続される複数の出口パイプ接続孔（６）  と、を具備する冷媒分流器である。
【０００８】
請求項２に記載の本発明は、入口パイプ（１）  を接続固定する一つの入口パイプ接続孔（２）  が一端に開口され、その入口パイプ接続孔（２）  の先端に、その入口パイプ接続孔（２）  の断面より小なる断面の冷媒絞り部（３）  を介して、その入口パイプ接続孔（２）  の断面より大なる断面のチャンバー室（４）  が設けられ、そのチャンバー室（４）  の先端側にそのチャンバー室（４）  の断面以上の断面を有する装着孔（７）  が他端に開口された本体（８）  と、
外周が前記装着孔（７）  に整合すると共に、夫々出口パイプ（５）  を接続固定する複数の出口パイプ接続孔（５）  が貫通された装着体（９）  と、
を具備し、その装着体（９）  の外周が前記本体（８）  の装着孔（７）  に接続固定される冷媒分流器である。
【０００９】
【発明の実施の形態】
次に、図面に基づいて本発明の実施の形態につき説明する。
図１は本発明の冷媒分流器を示し、その（Ａ）は（Ｂ）のＣ−Ｃ矢視断面図であり、（Ｂ）は（Ａ）の右側面図である。
また、図２はその分流器の本体８であり、図３はその本体に内装される装着体９である。
【００１０】
この例の分流器１０は、本体８と装着体９との組立体からなる。
本体８は真鍮やアルミニューム等の金属材の鋳造品または切削加工により製作することができる。この本体８の軸直角断面の外周は円形や方形、多角形に形成できる。そして、この例では円形であり、その一端側に直径の小なる小径部があり、他端側に直径の大なる大径部があり、それらの間をテーパで接続してなる段付状に形成されている。
また、その内部の軸線上には、その一端部に入口パイプ接続孔２が開口され、中間部に断面が縮小する冷媒絞り部３および、断面が拡大するチャンバー室４を有し、他端部にチャンバー室４よりさらに断面が拡大する装着孔７が形成されている。
さらに入口パイプ接続孔２と冷媒絞り部３との間は、テーパ孔で接続されている。
【００１１】
次に、装着体９は本体８と同様の金属材からなり、鋳造または切削加工により製造することができる。この装着体９の軸直角断面の外周は円形で、その一端面から他端面に３つの出口パイプ接続孔６が互いに１２０度離間して、同一円上に配置されている。出口パイプ接続孔６の後端側は先端側よりも小径に形成され、両者間がテーパで接続されている。この内直径は、入口パイプ接続孔２のそれに比べて小径である。
なお、入口パイプの直径が比較的小さい（例えば外径５ｍｍ、内径４ｍｍ程度）場合には、出口パイプの接続孔６を入口パイプの接続孔２と同一にすることもできる。
このようにしてなる出口パイプ接続孔６の外周は、本体８の装着孔７に嵌着され、両者間が一体にろう付け等の手段により接合される。
【００１２】
その結果、本発明の分流器１０は図１の如く組立てられる。そして入口パイプ接続孔２には入口パイプ１の先端が嵌着され、両者間がろう付け等の手段により接合される。
また、この例では３つの出口パイプ接続孔６に夫々出口パイプ５の後端が嵌着され、出口パイプ５と装着体９との間がろう付け等の手段により接合される。
【００１３】
このようにしてなる分流器１０は、その入口パイプ１に冷媒１３が供給され、それが冷媒絞り部３により絞られて、チャンバー室４内にいきよい良く噴出され、気相と液相とが充分に混合される。次いで、冷媒はチャンバー室４から各出口パイプ５に均等に分配され、夫々の出口パイプ５に接続された空調用熱交換器等の各冷媒流路に供給されるものである。
この空調用熱交換器は一例として、多数のプレートフィンとそのプレートフィンに貫通しかた複数列のチューブとを有し、各チューブ端どうしが接続されて蛇行状の冷媒流路が複数並列されたものを用いることができる。
そして、各冷媒流路に冷媒が並列的に供給される。
【００１４】
なお、上記の例では出口パイプ接続孔６が３つ形成されているが、それを２つまたは４つ以上にすることもできる。
【００１５】
【実施例】
図１（Ａ）において、入口パイプ１の内直径Ｄ０  は、３．０  ｍｍ〜８．２  ｍｍ程度が好ましい。また出口パイプ５は、一例として内直径３．１６ｍｍ（  肉厚０．８  ｍｍ、外直径４．７６ｍｍ）  を使用することができる。
なお、本発明は上記例のパイプ以外にも使用することができる。
次に、冷媒絞り部３の内直径Ｄ１  は２．５  ｍｍｍ〜５．０ｍｍ  とすることができる。  ここで、Ｄ０  ／Ｄ１  は２．０  〜３．６  とすることができる。下限値２．０より小さくなると、冷媒絞り部３による絞り効果が小さくなり、分流バランスが均一になりにくい。即ち、冷媒に重力の影響を受け易いことになり、分流バランスが悪くなる。
次に、上限値３．６より値が多くなると、冷媒絞り部３が絞り過ぎとなり、管内の圧損が高くなり、冷媒の流通に悪影響を与えることになる。
【００１６】
【発明の作用・効果】
本発明の冷媒分流器は、その入口パイプ接続孔２の先端に断面が小さくなる冷媒絞り部３を介して断面の大きなチャンバー室４が設けられているから、冷媒は冷媒絞り部３を介してチャンバー室４内に勢いよく噴出され、そのチャンバー室４から複数の出口パイプ５に均等に分流させることができる。即ち、分流器１０の軸線の姿勢がどのようなものであっても、重力の影響を殆ど受けることなく、夫々の出口パイプ５に均等に冷媒を流通させることができる。それにより空調器等の各流路に均等に冷媒を流し、空調器各部の熱交換を促進させることができる。
【００１７】
また、冷媒分流器を本体８と装着体９とで構成したものにおいては、製造が容易で性能の良い冷媒分流器を提供できる。即ち、冷媒分流器の中間部に断面が拡大されたチャンバー室４とそれに隣接する冷媒絞り部３とを容易に、切削加工や鋳造により製造することができる。そして、複数の出口パイプ接続孔６を夫々チャンバー室４に連通させ、それらに取付けられた出口パイプ５に均一に冷媒を分配することができる。
【図面の簡単な説明】
【図１】本発明の冷媒分流器の組立て状態を示す縦断面図および右側面図。
【図２】本発明の冷媒分流器の本体８のＣ−Ｃ断面図および右側面図。
【図３】同冷媒分流器に用いられる装着体９のＤ−Ｄ断面図および右側面図。
【図４】従来型分流器の縦断面図。
【図５】他の従来型分流器の縦断面図。
【符号の説明】
１  入口パイプ
２  入口パイプ接続孔
３  冷媒絞り部
４  チャンバー室
５  出口パイプ
６  出口パイプ接続孔
７  装着孔
８  本体
９  装着体
１０〜１２  分流器
１３  冷媒
【図１】
2004177059.tif 000003
【図２】
2004177059.tif 000004
【図３】
2004177059.tif 000005
【図４】
2004177059.tif 000006
【図５】
2004177059.tif 000007